(57)【要約】【課題】簡単な構成で確実にジャム処理することができる画像形成装置を提供すること。【解決手段】用紙上ガイド（固定側用紙ガイド）３５と用紙下ガイド（可動側用紙ガイド）３６を有する用紙搬送路の前記用紙下ガイド３６を開いてジャム処理するようにした画像形成装置において、ジャムした用紙Ｐを挟んでこれを引き出すための引っ掛けステー（用紙引っ掛け部）３８を前記用紙下ガイド３６に設ける。又、前記用紙上ガイド３５にフックを設け、該フックに前記引っ掛けステー３８を係止することによって前記用紙下ガイド３６を搬送位置に固定する。更に、前記引っ掛けステー３８に、前記用紙下ガイド３６を開くための把手を形成する。【選択図】図５
2007316187.tif 000002
【特許請求の範囲】
【請求項１】
固定側用紙ガイドと可動側用紙ガイドを有する用紙搬送路の前記可動側用紙ガイドを開いてジャム処理するようにした画像形成装置において、
ジャムした用紙を挟んでこれを引き出すための用紙引っ掛け部を前記可動側用紙ガイドに設けたことを特徴とする画像形成装置。
【請求項２】
前記用紙引っ掛け部を前記可動側用紙ガイドの用紙搬送面側に全幅に亘って立設された門型の引っ掛けステーで構成したことを特徴とする請求項１記載の画像形成装置。
【請求項３】
前記固定側用紙ガイドにフックを設け、該フックに前記用紙引っ掛け部を係止することによって前記可動側用紙ガイドを搬送位置に固定することを特徴とする請求項１又は２記載の画像形成装置。
【請求項４】
前記用紙引っ掛け部に、前記可動側用紙ガイドを開くための把手を形成したことを特徴とする請求項１〜３の何れかに記載の画像形成装置。
【発明の詳細な説明】
【技術分野】
【０００１】
本発明は、用紙搬送路の片側の用紙ガイドを開いてジャム処理するようにした画像形成装置に関するものである。
【背景技術】
【０００２】
複写機やプリンタ、ファクシミリ装置等の画像形成装置には、用紙搬送路でジャムが発生した場合に片側の用紙ガイドを開いて詰まった用紙を取り除くようにしたものがある。例えば、給紙カセットの上部に用紙搬送路が設けられており、その用紙搬送路でジャムが発生した場合には、給紙カセットを抜き、用紙搬送路の片側の用紙ガイドを引き下げてこれを開き、詰まった用紙を抜き取ることが行われている。
【０００３】
他方、特許文献１には、用紙搬送路でジャムが発生した場合には、搬送ローラ対の回転を制御して用紙を２つの搬送ローラ対の間でループ状に撓ませることによって該用紙を取り除くという提案がなされている。
【特許文献１】特開平７−０５３０８８号公報
【発明の開示】
【発明が解決しようとする課題】
【０００４】
ところが、用紙搬送路でジャムが発生した場合に片側の用紙ガイドを開いて用紙を抜き取る方式を採用する画像形成装置では、詰まった用紙が搬送ローラ間等に噛んだ状態で止まっていると、用紙が緊張状態にあってこれに撓みが無いために該用紙に指が掛かりにくく、用紙を簡単に引き出すことができないという問題がある。この問題は、幅広の紙や厚紙の場合に特に顕著である。
【０００５】
又、特許文献１において提案された方式では、ジャムが発生した場合の搬送ローラ対の回転制御が複雑であり、装置のコストアップを免れないという問題がある。
【０００６】
本発明は上記問題に鑑みてなされたもので、その目的とする処は、簡単な構成で確実にジャム処理することができる画像形成装置を提供することにある。
【課題を解決するための手段】
【０００７】
上記目的を達成するため、請求項１記載の発明は、固定側用紙ガイドと可動側用紙ガイドを有する用紙搬送路の前記可動側用紙ガイドを開いてジャム処理するようにした画像形成装置において、ジャムした用紙を挟んでこれを引き出すための用紙引っ掛け部を前記可動側用紙ガイドに設けたことを特徴とする。
【０００８】
請求項２記載の発明は、請求項１記載の発明において、前記用紙引っ掛け部を前記可動側用紙ガイドの用紙搬送面側に全幅に亘って立設された門型の引っ掛けステーで構成したことを特徴とする。
【０００９】
請求項３記載の発明は、請求項１又は２記載の発明において、前記固定側用紙ガイドにフックを設け、該フックに前記用紙引っ掛け部を係止することによって前記可動側用紙ガイドを搬送位置に固定することを特徴とする。
【００１０】
請求項４記載の発明は、請求項１〜３の何れかに記載の発明において、前記用紙引っ掛け部に、前記可動側用紙ガイドを開くための把手を形成したことを特徴とする。
【発明の効果】
【００１１】
請求項１記載の発明によれば、用紙搬送路でジャムが発生した場合に可動側用紙ガイドを開くと、該可動側用紙ガイドに設けられた用紙引っ掛け部が用紙を挟んでこれを引き出すため、ジャムした用紙を容易に取り除くことができ、用紙引っ掛け部を可動側用紙ガイドに設けるだけの簡単な構成で確実にジャム処理を行うことができる。
【００１２】
請求項２記載の発明によれば、用紙搬送路でジャムが発生した場合に可動側用紙ガイドを開くと、該可動側用紙ガイドの用紙搬送面側に全幅に亘って立設された門型の引っ掛けステーで用紙を挟んでこれを確実に引き出すことができる。
【００１３】
請求項３記載の発明によれば、可動側用紙ガイドを開いてジャム処理を行った後、該可動側用紙ガイドを閉じると、これに設けられた用紙引っ掛け部が固定側用紙ガイドに設けられたフックに係止されて該可動側用紙ガイドが搬送位置に固定されるため、ジャム処理後に画像形成装置を画像形成動作が可能な状態に迅速に復帰させることができる。
【００１４】
請求項４記載の発明によれば、ユーザーは、ジャム処理に際して用紙引っ掛け部に形成された把手を把持して可動側用紙ガイドを作業性良く開くことができる。
【発明を実施するための最良の形態】
【００１５】
以下に本発明の実施の形態を添付図面に基づいて説明する。
【００１６】
図１は本発明に係る画像形成装置の一形態としてのレーザビームプリンタの斜視図、図２は同レーザビームプリンタの側断面図である。
【００１７】
先ず、レーザビームプリンタ１の基本構成を図１及び図２に基づいて説明すると、該レーザビームプリンタ１は、箱状の装置本体１ａを備えており、図１に示すように、該装置本体１ａの上面の中央部には傾斜した凹状の排紙トレイ３２が設けられており、その横には操作表示部３４が配置されている。又、装置本体１ａの前面（図１の手前側が前方）上部には開閉可能な手差しトレイ８（図２には開いている状態が示されている）が設けられ、装置本体１ａの下部には手前側に引き出すことができる矩形箱状の給紙カセット７が設けられている。
【００１８】
次に、レーザビームプリンタ１の内部構造を図２に基づいて説明する。
【００１９】
レーザビームプリンタ１は、装置本体１ａ内に設けられた用紙搬送路Ｌに沿って用紙を搬送しながら、不図示の端末等から送信される画像データに基づいて用紙に画像を形成するものであって、前記用紙搬送路Ｌは、装置本体１ａ内を前方から後方（図２において右方から左方）に略水平に延びる水平部Ｌ１と、該水平部Ｌ１の端部から略垂直に立ち上がる垂直部Ｌ２とで側面視略Ｌ字状に構成されている。
【００２０】
又、レーザビームプリンタ１は、装置本体１ａの下部に設けられた給紙部２と、該給紙部２の上方の装置本体１ａ内の略中央部に設けられた画像形成部３と、該画像形成部３の後方に配された定着部４と、該定着部４の上方の装置本体１ａの上面に設けられた凹状の排紙部５と、前記用紙搬送路Ｌの水平部Ｌ１と前記給紙カセット７との間に設けられたスイッチバック部６を備えている。
【００２１】
上記給紙部２は、用紙を収納するとともに、その用紙を前記画像形成部３に向けて給送するものであって、前記給紙カセット７と前記手差しトレイ８を含んで構成されている。
【００２２】
ここで、給紙カセット７は、上面が開放された矩形箱状を成すものであって、その内部に積層して収容された不図示の用紙を１枚ずつ送り出す機能を果たし、これが図２に示すように装置本体１ａ内に装着されている状態では、図示のように用紙搬送路Ｌの水平部Ｌ１の下方に位置している。
【００２３】
この給紙カセット７は、内底面に対して接離するリフト板９と、該リフト板９の接離動作に連動して昇降するボトムプレート１０と、前記リフト板９の前端（用紙の送出方向下流端）近傍に取り付けられて該リフト板９を図２の矢印方向に回動させるリフト駆動軸１１と、前記ボトムプレート１０の後端（用紙の送出方向上流端）近傍を回動可能に軸支する軸１２を備えている。
【００２４】
又、給紙部２には、給紙カセット７内の用紙を１枚ずつ取り出すピックアップローラ１３と、取り出された用紙を用紙搬送路Ｌの水平部Ｌ１へと送り出すフィードローラ１４とリタードローラ１５、複数の給紙ローラ１６，１７，１８、送り出された用紙を一時待機させた後に所定のタイミングで画像形成部３へと供給するレジストローラ１９の他、手差しトレイ８に載置された用紙を取り出すピックアップローラ２０が設けられている。
【００２５】
前記画像形成部３は、給紙部２から供給された用紙に画像を形成するものであって、用紙搬送路Ｌの水平部Ｌ１の前後方向略中央部に回転可能に配された像担持体としての感光ドラム２１と、その周囲に配置された一次帯電器２２、現像装置２３、転写ローラ２４及びクリーニング装置２５と、これらの上方に配置されたレーザスキャナユニット（ＬＳＵ）２６、トナーホッパー２７等を備えている。
【００２６】
又、前記定着部４は、画像形成部３において用紙に転写されたトナー像を当該用紙に定着させるためのものであって、互いに圧接されて回転する加熱ローラ２８と加圧ローラ２９を備えている。
【００２７】
更に、前記排紙部５は、定着部４においてトナー像が定着された用紙を装置本体１ａ外へと排出するためのものであって、用紙搬送路Ｌの垂直部Ｌ２の途中に設けられた複数の搬送ローラ３０と垂直部Ｌ２の末端に設けられた排紙ローラ３１及び装置本体１ａ外へと排出される用紙を積載するための前記排紙トレイ３２を備えている。
【００２８】
又、前記スイッチバック部６は、用紙の両面に画像を形成する場合に使用されるものであって、用紙搬送路Ｌの垂直部Ｌ１の下方に配された別の用紙搬送路Ｌ’とその適所に設けられた複数の搬送ローラ３３を備えている。
【００２９】
次に、以上の構成を有するレーザビームプリンタ１の画像形成動作について説明する。
【００３０】
例えばパーソナルコンピュータ（パソコン）等の端末から当該レーザビームプリンタ１にプリント開始信号が送信されると、画像形成部３においては、感光ドラム２１は不図示の駆動手段によって図２の矢印方向（時計方向）に回転駆動され、その表面が一次帯電器２２によって所定の電位に一様に帯電される。そして、端末から送信された画像データに基づくレーザ光がレーザスキャナユニット２６から出力されて感光ドラム２１上に照射されると、該感光ドラム２１上には静電潜像が形成される。そして、この感光ドラム２１上の静電潜像は、現像装置２３によって現像剤であるトナーを用いて現像されてトナー像として可視像化される。
【００３１】
同時に給紙部５においては、例えば給紙カセット７内に収容された用紙は、ピックアップローラ１３によって最上位のものから１枚ずつピックアップされ、フィードローラ１４とリタードローラ１５及び給紙ローラ１６，１７，１８によって用紙搬送路Ｌの水平部Ｌ１へと送り出され、レジストローラ１９によって一時待機状態とされた後、感光ドラム２１上のトナー像に同期する所定のタイミングで画像形成部３へと供給される。尚、給紙カセット７においては、リフト板９を内底面から離間する方向に回動させることによって、ボトムプレート１０をこれに積載された用紙の枚数に応じた所定の高さ位置まで上昇させ、該ボトムプレート１０に積載された用紙の最上位のものがピックアップローラ１３によってピックアップされるようになっている。又、手差しトレイ８に積載された用紙に画像を形成する場合には、用紙は、ピックアップローラ２０によって１枚ずつ取り出され、給紙ローラ１６，１８によって搬送路Ｌの水平部Ｌ１へと送り出される。
【００３２】
画像形成部３においては、感光ドラム２１と転写ローラ２４との間の転写ニップへと供給された用紙は、転写ローラ２４によって感光ドラム２１に押し付けられながら搬送されることによって、その表面（転写面）に感光ドラム２１上のトナー像が転写される。そして、トナー像が転写された用紙は、定着部４へと搬送され、この定着部４において加熱ローラ２８と加圧ローラ２９によって挟み込まれて搬送される過程で加熱及び加圧されてトナー像の定着を受ける。尚、用紙へのトナー像の転写後に感光ドラム２１の表面に残留するトナー（転写残トナー）と電荷はクリーニング装置２５によって除去される。
【００３３】
而して、定着部４にて表面にトナー像が定着された用紙は、搬送ローラ３０によって用紙搬送路Ｌの垂直部Ｌ２を上方へと搬送され、排紙ローラ３１によって装置本体１ａの上部に設けられた排紙トレイ３２に排出されて積載される。
【００３４】
以上が用紙の片面に画像を形成する場合の一連の動作であるが、用紙の両面に画像を形成する場合には、定着部４にて片面にトナー像が定着された用紙を搬送ローラ３０によって用紙搬送路Ｌの垂直部Ｌ２へと送り込んだ後、搬送ローラ３０を逆転させることによって用紙をスイッチバックさせてスイッチバック部６の用紙搬送路Ｌ’へと送り込む。そして、用紙搬送路Ｌ’に設けられた複数の搬送ローラ３３によって用紙を用紙搬送路Ｌ’に沿って前方（図２の右方）へと搬送し、該用紙を給紙ローラ１６，１７，１８によって用紙搬送路Ｌの水平部Ｌ１に再び送り込めば、該用紙の表裏が逆転し、以後、前記と同様の動作によって感光ドラム２１上のトナー像を用紙の表面（画像が形成されていない他方の面）に転写し、そのトナー像を定着部４において用紙に定着させれば、用紙の両面に画像が形成される。このようにして両面に画像が形成された用紙は、前記と同様に搬送ローラ３０によって用紙搬送路Ｌの垂直部Ｌ２を上方へと搬送され、排紙ローラ３１によって排紙トレイ３２に排出される。
【００３５】
次に、本発明の要旨を図３〜図６に基づいて説明する。
【００３６】
＜実施の形態１＞
図３は給紙カセットを抜き取った状態を示すレーザビームプリンタの斜視図、図４はスイッチバック部の用紙搬送路の側面図、図５は同用紙搬送路の用紙下ガイドを開いた状態を示す側面図、図６は同用紙搬送路の斜視図である。
【００３７】
前記スイッチバック部６の用紙搬送路Ｌ’は、図４に示すように、固体側の用紙上ガイド３５と、該用紙上ガイド３５の下方に開閉可能に配された可動側の用紙下ガイド３６とで構成されている。
【００３８】
又、上記用紙下ガイド３６は、その奥側の後端部（図４の左端部）が軸３７によって上下に回動可能に軸支されており、該用紙下ガイド３６の手前側の前端部（図４の右端部）には、用紙引っ掛け部である門型の引っ掛けステー３８が立設されている。
【００３９】
而して、用紙下ガイド３６は、軸３７に巻装された不図示の捩りコイルバネによって上方に付勢されており、ジャム処理時以外の通常時には、図４に示すように閉じられて用紙上ガイド３５との間に用紙を搬送する通路を形成している。そして、用紙の両面に画像が形成される場合にスイッチバックされた用紙は、前述のように用紙搬送路Ｌ’を前面側（図４の右方向）に向かって搬送されるが、このとき、用紙は門型の引っ掛けステー３８の内側を通過して搬送される。
【００４０】
ところで、上述のように用紙が用紙搬送路Ｌ’を搬送されている途中で詰まってジャムが発生した場合には、図３に示すように、装置本体１ａから給紙カセット７を手前側に抜いて取り外し、装置本体１ａの前面下部に開口する開口部から装置本体１ａ内に手を差し込んで用紙搬送路Ｌ’の用紙下ガイド３６の手前側を押し下げる。すると、用紙下ガイド３６が軸３７を中心として下方に回動して図５及び図６に示すように開くが、このとき、該用紙下ガイド３６に設けられた引っ掛けステー３８が用紙Ｐ（図５参照）を挟んでこれを引き出すため、ジャムした用紙Ｐを容易に取り除くことができる。
【００４１】
以上のように、本実施の形態によれば、引っ掛けステー３８を用紙下ガイド３６に設けるだけの簡単な構成で確実にジャム処理を行うことができる。
【００４２】
＜実施の形態２＞
次に、本発明の実施の形態２を図７〜図１２に基づいて説明する。
【００４３】
図７は本発明の実施の形態形態２に係る画像形成装置のスイッチバック部の用紙搬送路の側面図、図８は図７のＡ部拡大詳細図、図９は用紙搬送路の用紙下ガイドの斜視図、図１０は同用紙下ガイド要部の斜視図、図１１は図１０の一部を破断して示す斜視図、図１２は把手を押して用紙下ガイドを開く様子を示す部分斜視図である。
【００４４】
本実施の形態は、図８に詳細に示すように、用紙搬送路Ｌ’の用紙上ガイド３５にフック３９を下方に向けて突設するとともに、図９に示すように、用紙下ガイド３６に設けられた引っ掛けステー３８の一部に把手３８ａを形成したことを特徴としている。
【００４５】
本実施の形態では、引っ掛けステー３８は、その幅方向両端部が用紙下ガイド３６の左右の側壁に回動可能に支持されており、その一端部は、図１１に示すようにコの字状に折り曲げられた後、前方（図９の右方）に直角に曲げられて用紙下ガイド３６の前壁に形成された切欠き溝３６ａを通過して前方へ突出し、その突出部が直角下方に曲げられ、その部分が把手３８ａとして構成されている。従って、把手３８ａは、図９及び図１０に示すように、用紙下ガイド３６の幅方向一端部において前壁の外部に垂直下方に垂れ下がる形で露出している。
【００４６】
そして、引っ掛けステー３８は、これに巻装された捩りコイルバネ４０によって一方向（フック３９に係合する方向）に付勢され、これに形成された前記把手３８ａが図１０に示すように用紙下ガイド３６の切欠き溝３６ａに係合することによって垂直に起立している。
【００４７】
而して、ジャム処理時以外の通常時には、図７に示すように用紙下ガイド３６が閉じられ、該用紙下ガイド３６は、これに設けられた引っ掛けステー３８が用紙上ガイド３５側に設けられたフック３９に係止されて搬送位置に固定されている。そして、用紙の両面に画像が形成される場合にスイッチバックされた用紙は、用紙搬送路Ｌ’を前面側（図７の右方向）に向かって搬送されるが、このとき、用紙は門型の引っ掛けステー３８の内側を通過して搬送される。
【００４８】
ところで、用紙が用紙搬送路Ｌ’を搬送されている途中で詰まってジャムが発生した場合には、前記実施の形態１と同様に、装置本体１ａから給紙カセット７を手前側に抜いて取り外し、装置本体１ａの前面下部に開口する開口部から装置本体１ａ内に手を差し込んで図１２に示すように引っ掛けステー３８の把手３８ａを下方へ押す。すると、引っ掛けステー３８が捩りコイルバネ４０の付勢力に抗して回動し、図８に破線にて示すように該引っ掛けステー３８のフック３９との係合が解除されるため、用紙下ガイド３６が軸３７を中心として下方に回動して開く。
【００４９】
上述のように、用紙下ガイド３６が開くと、前記実施の形態１と同様に、該用紙下ガイド３６に設けられた引っ掛けステー３８が用紙を挟んでこれを引き出すため、詰まった用紙を容易に取り除くことができる。
【００５０】
そして、ジャム処理が終了すると、用紙下ガイド３６を軸３７を中心として上方に回動させると、これに設けられた引っ掛けステー３８が図８に示すフック３９の傾斜面３９ａに沿って摺動して倒された後にフック３９の係合溝３９ｂに自動的に係合するため、該用紙下ガイド３６がフック３９に係止されて固定される。
【００５１】
以上のように、本実施の形態においても、前記実施の形態１と同様の効果が得られる他、用紙下ガイド３６を開いてジャム処理を行った後、該用紙下ガイド３６を閉じると、これに設けられた用紙引っ掛けステー３８がフック３９に係止されて該用紙下ガイド３６が搬送位置に固定されるため、ジャム処理後にレーザビームプリンタ１を画像形成動作が可能な状態に迅速に復帰させることができるという効果が得られる。
【００５２】
又、本実施の形態によれば、ユーザーは、ジャム処理に際して引っ掛けステー３８に形成された把手３８ａを把持して用紙下ガイド３６を作業性良く開いてジャム処理を容易に行うことができる。
【００５３】
尚、以上は本発明を特にレーザビームプリンタに適用した形態について説明したが、本発明は、プリンタの他、複写機やファクシミリ装置等の他の任意の画像形成装置に対しても同様に適用可能であることは勿論である。
【図面の簡単な説明】
【００５４】
【図１】本発明に係る画像形成装置（レーザビームプリンタ）の斜視図である。
【図２】本発明に係る画像形成装置（レーザビームプリンタ）の側断面図である。
【図３】本発明の実施の形態１において給紙カセットを抜き取った状態を示すレーザビームプリンタの斜視図である。
【図４】本発明の実施の形態１スイッチバック部の用紙搬送路の側面図である。
【図５】本発明に係る画像形成装置（レーザビームプリンタ）の手前に引き出した給紙カセットの空間部を蓋で覆った状態を示す斜視図である。
【図６】用紙搬送路の用紙下ガイドを開いた状態を示す側面図
【図７】本発明の実施の形態形態２に係る画像形成装置のスイッチバック部の用紙搬送路の側面図である。
【図８】７のＡ部拡大詳細図である。
【図９】用紙搬送路の用紙下ガイドの斜視図である。
【図１０】用紙下ガイド要部の斜視図である。
【図１１】図１０の一部を破断して示す斜視図である。
【図１２】把手を押して用紙下ガイドを開く様子を示す部分斜視図である。
【符号の説明】
【００５５】
１          レーザビームプリンタ（画像形成装置）
１ａ        装置本体
２          給紙部
３          画像形成部
４          定着部
５          排紙部
６          スイッチバック部
７          給紙トレイ
８          手差しトレイ
９          リフト板
１０        昇降板
１１        リフト駆動軸
１２        軸
１３        ピックアップローラ
１４        フィードローラ
１５        リタードローラ
１６〜１８  給紙ローラ
１９        レジストローラ
２０        ピックアップローラ
２１        感光ドラム
２２        一次帯電器
２３        現像装置
２４        転写ローラ
２５        クリーニング装置
２６        レーザスキャナユニット（ＬＳＵ）
２７        トナーホッパー
２８        加熱ローラ
２９        加圧ローラ
３０        搬送ローラ
３１        排紙ローラ
３２        排紙トレイ
３３        搬送ローラ
３４        操作表示部
３５        用紙上ガイド（固定側用紙ガイド）
３６        用紙下ガイド（可動側用紙ガイド）
３６ａ      用紙下ガイドの切欠き溝
３７        軸
３８        引っ掛けステー（用紙引っ掛け部）
３８ａ      把手
３９        フック
３９ａ      フックの傾斜面
３９ｂ      フックの係合溝
４０        捩りコイルバネ
Ｌ，Ｌ’    用紙搬送路
Ｌ１        用紙搬送路の水平部
Ｌ２        用紙搬送路の垂直部
Ｐ          用紙
【図１】
2007316187.tif 000003
【図２】
2007316187.tif 000004
【図３】
2007316187.tif 000005
【図４】
2007316187.tif 000006
【図５】
2007316187.tif 000007
【図６】
2007316187.tif 000008
【図７】
2007316187.tif 000009
【図８】
2007316187.tif 000010
【図９】
2007316187.tif 000011
【図１０】
2007316187.tif 000012
【図１１】
2007316187.tif 000013
【図１２】
2007316187.tif 000014